(57)【要約】【課題】妨害アナログテレビ信号による歪み影響を抑えるＡＧＣ機能を持ち、かつ低消費電力を実現するデジタルテレビチューナを提供する。【解決手段】ＩＦ検波方式ＡＧＣ回路において、ミキサ１０４出力のＩＦレベルを検出するために、検波器１１０の前に可変ローパスフィルタ１０８をローパスフィルタ１０６とは別に設ける。デジタルテレビのチャンネルに応じて妨害波となるアナログテレビのチャンネルを規定して、その妨害アナログテレビ信号を検波器１１０にてレベル検波できるように可変ローパスフィルタ１０８のカットオフ周波数を設定し、かつミキサ１０４で出力される信号で検波器１１０には入力したくない不要信号は抑圧するように可変ローパスフィルタ１０８のカットオフ周波数を設定する。これにより、ＩＦ検波方式ＡＧＣ回路を実現する。【選択図】図１
2007281939.tif 000002
【特許請求の範囲】
【請求項１】
受信したＲＦ信号を増幅する利得制御増幅器と、局部発振器と、前記利得制御増幅器の出力信号と前記局部発振器の出力信号とを混合するミキサと、前記ミキサの出力信号からＩＦ信号を取り出す第１のローパスフィルタと、前記ミキサの出力信号から所望の周波数成分を取り出す第２のローパスフィルタと、前記第２のローパスフィルタの出力信号をレベル検波する検波器と、前記検波器の出力を前記利得制御増幅器に対して利得制御信号としてフィードバックするＡＧＣ制御回路とを備え、
前記第２のローパスフィルタのカットオフ周波数を受信条件に応じて変更する受信装置。
【請求項２】
前記第２のローパスフィルタは、ｎビットのロジック制御線を有し、前記ｎビットのロジック制御線に与えられる制御データに応じて、２のｎ乗個の状態制御が行われることにより、カットオフ周波数の調整が行われる請求項１記載の受信装置。
【請求項３】
前記第２のローパスフィルタは、ＶＨＦとＵＨＦとの２つの受信状態に応じてカットオフ周波数の状態が切り替えられる請求項１または２に記載の受信装置。
【発明の詳細な説明】
【技術分野】
【０００１】
本発明は、移動体テレビジョン受信機におけるチューナ部、特に携帯電話などに搭載されるデジタルテレビジョンに使用される小型低消費電力のデジタルテレビチューナなどの受信装置に関するものである。なお、チューナ部としては、デジタルテレビチューナに限らず、アナログテレビチューナにも適用可能である。
【背景技術】
【０００２】
移動体受信用のテレビチューナの課題として、アンテナから入力される信号には、希望信号の他に、多数の妨害信号が存在し、受信チャンネルによって受信条件が変化することが挙げられる。据え置き用のテレビジョン受像機では、受信条件は固定されていて、かつ十分なスペースも確保できるため、妨害信号に対する対策は十分に施されている。これに対して、移動体受信機の場合、小型・低消費電力が要求され、通常十分な妨害対策を実施することは難しい。
【０００３】
携帯電話機にデジタルテレビチューナ機能が搭載される場合に、送受信される通話の信号は、テレビチューナとしては妨害信号となり、場合によっては受信性能に大きく影響する。特に、デジタルテレビチューナでは、妨害信号として、所望のデジタルテレビ信号の他に存在する旧来のアナログテレビ信号が考えられる。テレビ局より送信されるアナログテレビ信号はデジタルテレビ信号より大きな電力を有している。強電界のアナログテレビ信号が妨害波として携帯電話機に入力された場合、妨害波のアナログテレビ信号による歪が発生し、この歪が希望波であるデジタルテレビ信号帯域に落ち込むことにより受信性能を劣化させることが考えられる。
【０００４】
テレビチューナでは、希望波信号の弱電界から強電界までの入力範囲において、ノイズの影響または歪みの影響を避けて最良の受信性能を得るため、入力電界レベルに応じて回路の動作レベルを自動的に制御するＡＧＣ機能を必須としている。
【０００５】
さらに上記携帯電話機に搭載されるデジタルテレビチューナでは多様な妨害波の入力レベルに応じて最良の受信性能とするため妨害信号に応じて動作レベルを調整するＡＧＣ機能が必要となる。つまり、ＡＧＣの動作が希望信号レベルが高い場合には妨害信号の影響を受けにくいが、希望信号のレベルが低い場合には妨害信号の影響が大きいため、妨害信号のレベルに応じてＡＧＣ動作レベルを変えることが必要となる。
【０００６】
従来、テレビチューナのＡＧＣとしては、図４に示すＩＦ検波方式ＡＧＣ回路を有するテレビチューナ、または図５に示すＲＦ検波方式ＡＧＣ回路を有するテレビチューナが知られている。
【０００７】
図４において、符号４０１はアンテナを介して受信したＲＦ信号を入力するＲＦ入力端子を示し、符号４０２はバンドパスフィルタを示し、符号４０３は可変利得増幅器（ＧＣＡ）を示し、符号４０４はミキサを示し、符号４０５はローカル発振器を示し、符号４０６はＩＦ信号を通過させるローパスフィルタを示し、符号４０７はＩＦ出力端子を示し、符号４０８は検波器を示し、符号４０９はＡＧＣ制御回路を示す。
【０００８】
以上のように構成されたデジタルテレビチューナについて、その動作を説明する。ＲＦ入力端子４０１より入力されたＲＦ信号はバンドパスフィルタ４０２を通過後、可変利得増幅器（ＧＣＡ）４０３により増幅されミキサ４０４のＲＦ入力端子へ入力される。また一方、ローカル発振器４０５の信号がミキサ４０４のローカル入力端子へ入力される。ミキサ４０４では入力されたＲＦ信号とローカル信号との差分の周波数をＩＦ信号として出力する。ミキサ４０４で出力されたＩＦ信号は、ローパスフィルタ４０６を通過後ＩＦ出力端子４０７より出力される。一方、ローパスフィルタ４０６出力のＩＦ信号は検波器４０８に入力される。検波器４０８では入力されたＩＦ信号のレベルを検波し、検波された信号はＡＧＣ制御回路４０９に入力される。ＡＧＣ制御回路４０９の出力は上記の可変利得増幅器（ＧＣＡ）４０３の制御端子に入力されている。
【０００９】
以上のように構成されたＩＦ検波方式ＡＧＣ回路テレビチューナでは、ローパスフィルタ４０６の出力のＩＦ信号レベルが、入力されるＲＦ信号のレベルが変動しても常に一定以下となるようにレベル制御、つまり可変利得増幅器４０３の利得が制御される。一方、ローパスフィルタ４０６のカットオフ周波数がＩＦ信号帯域を通過させることを目的として設定されているため、ＩＦ信号帯域外の妨害信号に対しては、ローパスフィルタの出力は減衰するようになり、ＡＧＣの動作は妨害信号には依存しない。
【００１０】
また図５において、ＲＦ入力端子５０１より入力された信号はバンドパスフィルタ５０２を通過後、可変利得増幅器（ＧＣＡ）５０３により増幅されミキサ５０４のＲＦ入力端子へ入力される。また一方、ローカル発振器５０５の信号がミキサ５０４のローカル入力端子へ入力される。ミキサ５０４では入力されたＲＦ信号とローカル信号との差分の周波数信号をＩＦ信号として出力する。ミキサ５０４で出力されたＩＦ信号は、ローパスフィルタ５０６を通過後ＩＦ出力端子５０７より出力される。一方、可変利得増幅器（ＧＣＡ）５０３出力のＲＦ信号は、ＲＦ増幅器５０８にて増幅された後、検波器５０９に入力される。検波器５０９では入力されたＲＦ信号のレベルを検波し、検波された信号をＡＧＣ制御回路５１０に入力する。ＡＧＣ制御回路５１０の出力は上記の可変利得増幅器（ＧＣＡ）５０３の制御端子に入力されている。
【００１１】
以上のように構成されたＲＦ検波方式ＡＧＣ回路テレビチューナでは、ミキサ５０４の入力のＲＦ信号レベルが、入力されるＲＦ信号のレベルが変動しても常に一定以下となるようにレベル制御、つまり可変利得増幅器５０３の利得が制御される。
【特許文献１】特開２００１−１３６４４７号公報
【発明の開示】
【発明が解決しようとする課題】
【００１２】
しかしながら、上記従来の構成、つまり図４に示すＩＦ検波方式ＡＧＣ回路テレビチューナでは、ローパスフィルタ４０６の出力の信号を検波するため、希望波のデジタルテレビ信号ではＡＧＣ動作を行うが、妨害波のアナログ信号はローパスフィルタ４０６により抑圧を受けるためＡＧＣ動作を行えない。つまり、妨害波では、ＡＧＣが動作しないため妨害波による歪が発生し、この歪が希望波であるデジタルテレビ信号帯域に落ち込むことにより受信性能を劣化させる問題を抱えている。
【００１３】
また図５に示すＲＦ検波方式ＡＧＣ回路テレビチューナでは、全テレビ信号帯域にて増幅動作を行う可変利得増幅器（ＧＣＡ）５０３の出力にてレベル検出しているので、妨害波であるアナログテレビ信号は十分にレベル検波される。従って、妨害波においてＡＧＣ動作を行う目的については適した回路構成である。但し、図５のＲＦ検波方式ＡＧＣ回路テレビチューナでは、検波器５０９の入力レベルを調整するためにＲＦ増幅器５０８を必要とする。
【００１４】
その理由は以下のとおりである。すなわち、ＩＦ検波方式ではミキサが利得を持っているので、レベル検波に十分な出力を得られる。これに対して、ＲＦ検波方式ではミキサの前で検波するためＲＦ信号のレベルが不足する。検波器の感度がＲＦまたＩＦで大体同じであるので、検波器の入力レベルを合わせるためにＲＦ検波方式では増幅器を追加する必要がある。
【００１５】
このＲＦ増幅器５０８は、ＩＦ検波方式ＡＧＣ回路には存在しなかったものであるが、テレビ信号帯域である数百ＭＨｚ帯の動作が必要となるため、一般にＩＦ帯の信号処理回路に比べて電流を増やす必要があり、大電流のＲＦ増幅器を追加することは特に小型・低消費電力を必要とする移動体のテレビジョン受信機に使用する場合は大きな課題となる。つまり、ＲＦ検波方式ではＲＦ増幅器を設ける必要があるので、小型化に対して障害となる。また、増幅器については、回路設計において周波数が高くなるほど消費電力も多く設計しないと性能が得られない傾向があるので、ＲＦ増幅器を追加することにより低消費電力化に対して障害となる。
【００１６】
以上説明したように、デジタルテレビチューナではアンテナ入力される信号に希望とするデジタルテレビ信号の他に、妨害波として旧来のアナログテレビ信号が存在する。チューナでは妨害波による歪み影響を極力低減するようなＡＧＣ回路を構成する必要があるが、従来のＩＦ検波方式ＡＧＣ回路では妨害波を検波するのは厳しい構成であった。
【００１７】
また、従来のＲＦ検波方式ＡＧＣ回路では消費電力が多いという問題があり、低消費電力が要求される携帯電話等で使用するには問題があった。
【００１８】
本発明はこれらの課題を解決するものであり、妨害波信号による歪み影響を抑えるＡＧＣ機能を持ち、かつ低消費電力を実現する受信装置を提供することを目的とする。
【課題を解決するための手段】
【００１９】
上記課題を解決するために、本発明では、ＩＦ検波方式ＡＧＣ回路テレビチューナなどの受信装置で妨害波を検波できない問題を解決するために、ＩＦ検波出力の取出し位置をＩＦ−ローパスフィルタ出力からミキサ出力に変更し、検波器の前に可変ローパスフィルタを備え、そのカットオフ周波数を受信条件に応じて変えることにより、妨害波の検出を可能にするものである。
【００２０】
具体的には、この受信装置は、受信したＲＦ信号を増幅する利得制御増幅器と、局部発振器と、利得制御増幅器の出力信号と局部発振器の出力信号とを混合するミキサと、ミキサの出力信号からＩＦ信号を取り出す第１のローパスフィルタと、ミキサの出力信号から所望の周波数成分を取り出す第２のローパスフィルタと、第２のローパスフィルタの出力信号をレベル検波する検波器と、検波器の出力を利得制御増幅器に対して利得制御信号としてフィードバックするＡＧＣ制御回路とを備え、第２のローパスフィルタのカットオフ周波数を受信条件に応じて変更する。
【００２１】
この構成によれば、デジタルテレビのチャンネルに応じて妨害波となるアナログテレビのチャンネルを規定して、その妨害アナログテレビ信号は検波器にてレベル検波できるように第２のローパスフィルタのカットオフ周波数を設定し、かつミキサで出力される信号で検波器で検出したくない不要信号は抑圧するようカットオフ周波数を設定することにより、ＩＦ検波方式でのＡＧＣ機能が可能となる。また、ＲＦ検波方式ＡＧＣではＲＦ増幅器で流す電流は数ｍＡオーダーとなり、電源電圧が３Ｖ程度であれば１０ｍＷ以上の電力増加になるのに比べて本発明では受動素子で構成されるＬＰＦを採用することにより一桁低い電流値で動作させることが可能となり低消費電力を実現することができる。しかも、本来のＩＦ信号出力動作には影響を与えることがない。
【００２２】
上記本発明の受信装置では、第２のローパスフィルタは、ｎビットのロジック制御線を有し、ｎビットのロジック制御線に与えられる制御データに応じて、２のｎ乗個の状態制御が行われることにより、カットオフ周波数の調整が行われる構成を有することが好ましい。
【００２３】
この構成によれば、第２のローパスフィルタのカットオフ周波数の状態は、２のｎ乗の状態に限定して設定することとなる。
【００２４】
さらに、本発明の受信装置では、第２のローパスフィルタは、ＶＨＦとＵＨＦとの２つの受信状態に応じてカットオフ周波数の状態が切り替えられる構成を有することが好ましい。
【００２５】
この構成によれば、ＶＨＦまたはＵＨＦで各々のローパスフィルタ特性を設定する。周波数の低いＶＨＦを受信の場合、妨害波周波数も低く希望信号の近くに存在するのでローパスフィルタの帯域を広く持つ必要はない。またミキサで発生するイメージ信号（周波数はＲＦ周波数と局部発振周波数の和）をローパスフィルタで抑圧したいため、ローパスフィルタ帯域はイメージ周波数が十分に減衰するように低く設定する。次に周波数が高く広い帯域をもつＵＨＦを受信の場合、妨害波のレベル検出をするためにローパスフィルタのカットオフ周波数を高く設定する。但しミキサで発生するイメージ周波数を抑圧する必要はあるがイメージ周波数自体がＶＨＦと比較して高くなるため、ローパスフィルタの周波数を高くする設定とすることによりＩＦ検波方式でのＡＧＣ機能が可能となる。また、ＩＦ検波方式でのＡＧＣ機能を行うので、ＲＦ検波方式ＡＧＣとは異なり、増幅器を別途設ける必要がなく、低消費電力を実現することができる。しかも、本来のＩＦ信号出力動作には影響を与えることがない。
【発明の効果】
【００２６】
本発明は、検波器の前に第２のローパスフィルタを備え、デジタルテレビのチャンネルに応じて妨害波となるアナログテレビのチャンネルを規定して、その妨害アナログテレビ信号は検波器にてレベル検波できるようにし、かつミキサで出力される信号で検波器で検出したくない不要信号を抑圧するように第２のローパスフィルタのカットオフ周波数を変えることにより、ＩＦ検波方式ＡＧＣ回路を実現するという効果を有する受信装置（例えばデジタルテレビチューナ）を提供することができるものである。また、ＩＦ検波方式ＡＧＣ回路を実現するので、ＲＦ検波方式ＡＧＣ回路とは異なり電力を消費する増幅器を設ける必要がなく、低消費電力を実現することができる。
【発明を実施するための最良の形態】
【００２７】
以下、本発明の実施の形態の受信装置であるデジタルテレビチューナについて、図面を用いて説明する。
【００２８】
（実施の形態１）
本発明の実施の形態１のデジタルテレビチューナを図１に示す。図１において、符号１０１はアンテナを介して受信したＲＦ信号を入力するＲＦ入力端子を示し、符号１０２はバンドパスフィルタを示し、符号１０３は低雑音の可変利得増幅器（ＧＣＡ）を示し、符号１０４はミキサを示し、符号１０５はローカル発振器を示し、１０６はＩＦ信号を通過させるローパスフィルタを示し、符号１０７はＩＦ出力端子を示し、符号１０８は検波器に前置した可変ローパスフィルタを示し、符号１０９は可変ローパスフィルタ制御端子を示し、符号１１０は検波器を示し、符号１１１はＡＧＣ制御回路を示す。
【００２９】
以上のように構成されたデジタルテレビチューナについて、その動作を説明する。
【００３０】
まず、ＲＦ入力端子１０１より入力された信号はバンドパスフィルタ１０２を通過後、可変利得増幅器（ＧＣＡ）１０３により増幅される。可変利得増幅器にて増幅された信号は、ミキサ１０４のＲＦ入力に入力される。またローカル発振器１０５の出力信号はミキサ１０４のローカル入力に入力される。ミキサ１０４ではＲＦ信号およびローカル信号より、それらの差分周波数の低周波のＩＦ信号を出力する。ミキサ１０４より出力されたＩＦ信号はローパスフィルタ１０６を通過後ＩＦ出力端子１０７より出力される。一方、ミキサ１０４より出力されたＩＦ信号は、可変ローパスフィルタ１０８を通過した後、検波器１１０にてレベル検波される。検波器１１０にて検波された信号は、ＡＧＣ制御回路１１１に入力する。ＡＧＣ制御回路１１１の出力は、前記の可変利得増幅器１０３の利得制御端子に接続されている。ＡＧＣ制御回路１１１では検波器出力電圧とＲｅｆ電圧が一定となるように誤差アンプ（ＡＧＣ回路内のオペアンプ）が可変利得増幅器（ＧＣＡ）を制御する。このＡＧＣ制御回路１１１の動作により、妨害波、希望波にかかわらずミキサ１０４の出力レベルを常に一定値以下に抑えるＡＧＣ動作を行う。以上説明したように、希望波信号または妨害信号によらず、あくまで入力電力によるＡＧＣ動作機能を行う。
【００３１】
ここで、可変ローパスフィルタ１０８のカットオフ周波数は受信条件に応じて決定される。例えば、デジタルテレビのチャンネルに応じて妨害波となるアナログテレビのチャンネルを規定して、その妨害アナログテレビ信号を検波器にてレベル検波できるように可変ローパスフィルタ１０８のカットオフ周波数を設定し、かつミキサで出力される信号で検波器で検出したくない不要信号を抑圧するよう可変ローパスフィルタ１０８のカットオフ周波数を設定する。たとえばＶＨＦとＵＨＦの信号入力において切り換えを行う。周波数が低く、帯域も狭いＶＨＦではカットオフ周波数を高くする必要がないため、低い設定とし、周波数が高く、帯域も広いＵＨＦではカットオフ周波数を高く設定する。ＵＨＦの場合、帯域幅は約３００ＭＨｚあるため、帯域の端の１３ｃｈ受信時には６２ｃｈの妨害信号があれば約３００ＭＨｚの信号となるためカットオフ周波数は３００ＭＨｚ以上とし、ＶＨＦ帯受信時には帯域幅が４ｃｈ〜１２ｃｈでは約５０ＭＨｚのため最高５０ＭＨｚの妨害信号がくることになりカットオフ周波数は５０ＭＨｚ以上であればよい。
【００３２】
次に本発明で使用される可変ローパスフィルタの一例を図６（ａ）に示す。図６（ａ）において、符号６０１は信号入力端子を示し、符号６０２は電源端子を示し、符号６０３は接地端子を示し、符号６０４は信号出力端子を示し、符号Ｑ１はエミッタフォロワトランジスタを示し、ＩＸはエミッタフォロワトランジスタＱ１の電流源を示し、符号Ｃ１は容量を示す。
【００３３】
図６（ｂ）は図６（ａ）の等価回路を表し、記号ｒｅはエミッタフォロワトランジスタＱ１のエミッタベース間の動作抵抗を示し、ｒｅ＝ｋＴ／ｑＩＸで表される。ここで、記号ｋはボルツマン定数を示し、記号Ｔは絶対温度を示し、記号ｑは単位電荷を示す。ｋＴ／ｑはＴ＝２７℃で、約２６ｍＶである。
【００３４】
図６（ｂ）より図６（ａ）の回路はローパスフィルタになり、そのカットオフ周波数は
ｆｃ＝１／２ｒｅＣ１で表されることが分かる。ここで、動作抵抗ｒｅは電流ＩＸにより変化するため、電流ＩＸを変えることによりカットオフ周波数を可変することが可能となる。例えばＩＸ＝１００μＡ、Ｃ１＝１ｐＦではｆｃは約６１２ＭＨｚ、ＩＸ＝１０μＡの場合はｆｃは約６１．２ＭＨｚとなる。
【００３５】
実施の形態１の受信装置では、この電流値を切り替えてカットオフ周波数の設定をしている。
【００３６】
なお、本発明では容量Ｃ１については出力端子６０４につく定電流源、次段回路等の寄生容量を使用することにより回路規模を削減している。
【００３７】
このような本発明の実施の形態１のデジタルテレビチューナによれば、デジタルテレビのチャンネルに応じて妨害波となるアナログテレビのチャンネルを規定して、その妨害アナログテレビ信号は検波器にてレベル検波できるようにし、かつミキサで出力される信号で検波器で検出したくない不要信号は抑圧するように可変ローパスフィルタ１０８のカットオフ周波数を設定することにより、アナログ妨害波を検波できない問題を解決できるＩＦ検波方式でのＡＧＣ機能を構成することができる。したがって、妨害波の検出を可能として、妨害波を含めた上でＡＧＣ動作を行うことができ、妨害波による歪の発生を抑えることができ、受信性能の劣化を少なくすることができる。しかも、本来のＩＦ信号出力動作には影響を与えることがない。さらに、ＲＦ検波方式ＡＧＣ回路の構成ではないため、増幅器を別途追加する必要はなく、消費電力を少なく抑えることができる。
【００３８】
（実施の形態２）
次に、本発明の実施の形態２のデジタルテレビチューナを図２に示す。
【００３９】
図２において、符号２０１はアンテナを介して受信したＲＦ信号を入力するＲＦ入力端子を示し、符号２０２はバンドパスフィルタを示し、符号２０３は可変利得増幅器（ＧＣＡ）を示し、符号２０４はミキサを示し、符号２０５はローカル発振器を示し、符号２０６はＩＦ信号を通過させるローパスフィルタを示し、符号２０７はＩＦ出力端子を示し、符号２０８は検波器に前置した可変ローパスフィルタを示し、符号２０９は可変ローパスフィルタ制御端子を示し、符号２１０は検波器を示し、符号２１１はＡＧＣ制御回路を示す。可変ローパスフィルタ２０８のカットオフ周波数は、ｎビットのロジック制御線（ｎは任意の整数）にて、２のｎ乗個の状態に制御できる構成となっている。
【００４０】
図７は２ビットのロジック制御線による電流源の一例でこれを図６の可変ローパスフィルタの電流源ＩＸに適用することによって２ビットの制御信号によるカットオフ周波数の制御が可能となる。
【００４１】
図７において、符号７０１は基準電流入力端子を示し、符号７０２は電流出力端子を示し、符号７０３は接地端子を示し、符号７０４、７０５は制御端子を示し、符号Q２〜Q５およびＲ２〜Ｒ５はカレントミラーを構成するトランジスタおよび抵抗を示し、符号Ｍ１、Ｍ２は制御スイッチを構成するＮｃｈＭＯＳトランジスタを示す。
【００４２】
図７で制御端子７０４，７０５がハイレベルであれば各電流値の関係は、
Iｍ＝（R５／Ｒｍ）・Ｉ５  （ｍ＝２〜４）
で表され、電流出力はＩＸ＝Ｉ２＋Ｉ３＋Ｉ４である。
【００４３】
次に制御端子７０４、７０５の電圧をローレベルまたはハイレベルに設定すれば電流I３、Ｉ４が０または有限値となり、電流ＩＸについては４通りの電流値が制御できる。基準電流Ｉ５は集積回路内の定電流源を使用すれば容易に構成でき、トランジスタＱ３、抵抗３、ＮｃｈＭＯＳトランジスタＭ１と同様の組み合わせを増やせば制御ビットを増やすことが可能となる。
【００４４】
以上のような本発明の実施の形態２のデジタルテレビチューナによれば、可変ローパスフィルタの特性はいくつかの状態に限定して設定することとしている。具体的には、可変ローパスフィルタ２０８のカットオフ周波数は、ｎビットのロジック制御線にて、２のｎ乗個の状態に制御でき、受信条件に応じて２のｎ乗個の状態制御を行うＩＦ検波方式ＡＧＣデジタルテレビチューナを構成することができる。
【００４５】
上記以外の点は実施の形態１と同様である。
【００４６】
（実施の形態３）
次に、本発明の実施の形態３のデジタルテレビチューナを図３に示す。
【００４７】
図１において、符号３０１はアンテナを介して受信したＵＨＦ信号を入力するＵＨＦ入力端子を示し、符号３０２はアンテナを介して受信したＶＨＦ信号を入力するＶＨＦ入力端子を示し、符号３０３はＵＨＦバンドパスフィルタを示し、符号３０４はＶＨＦバンドパスフィルタを示し、符号３０５は低雑音のＵＨＦ可変利得増幅器（ＧＣＡ）を示し、符号３０６は低雑音のＶＨＦ可変利得増幅器（ＧＣＡ）を示し、符号３０７はミキサ入力のＵＨＦまたはＶＨＦの切換えスイッチを示し、符号３０８はミキサを示し、符号３０９はローカル発振器を示し、符号３１０はＩＦ信号を通過させるローパスフィルタを示し、符号３１１はＩＦ出力端子を示し、符号３１２は検波器に前置した可変ローパスフィルタを示し、符号３１３はＶＨＦまたはＵＨＦの切換え制御端子を示し、符号３１４は検波器を示し、符号３１５はＡＧＣ制御回路を示す。
【００４８】
以上のように構成されたデジタルテレビチューナについて、その動作を説明する。
【００４９】
まず、ＵＨＦ入力端子３０１より入力されたＵＨＦ信号はＵＨＦバンドパスフィルタ３０３を通過後、ＵＨＦ可変利得増幅器（ＧＣＡ）３０５により増幅される。一方、ＶＨＦ入力端子３０２より入力されたＶＨＦ信号はＶＨＦバンドパスフィルタ３０４を通過後、ＶＨＦ可変利得増幅器（ＧＣＡ）３０６にて増幅される。可変利得増幅器にて増幅されたＵＨＦまたはＶＨＦの信号は、切換えスイッチ３０７によりどちらかが選択されて、ミキサ３０８のＲＦ入力に入力される。またローカル発振器３０９の出力信号はミキサ３０８のローカル入力に入力される。ミキサ３０８ではＲＦ信号およびローカル信号より、それらの差分周波数の低周波のＩＦ信号を出力する。ミキサ３０８より出力されたＩＦ信号はローパスフィルタ３１０を通過後ＩＦ出力端子３１１より出力される。一方、ミキサ３０８より出力されたＩＦ信号は、可変ローパスフィルタ３１２を通過した後、検波器３１４にてレベル検波される。検波器３１４にて検波された信号は、ＡＧＣ制御回路３１５に入力される。ＡＧＣ制御回路３１５の出力は、前記のＵＨＦ可変利得増幅器３０５、及びＶＨＦ可変利得増幅器３０６の利得制御端子に接続されている。ＡＧＣ制御回路３１５では検波器出力電圧とＲｅｆ電圧が一定となるように誤差アンプ（ＡＧＣ回路内のオペアンプ）が可変利得増幅器（ＧＣＡ）を制御する。このＡＧＣ制御回路３１５の動作により、妨害波、希望波にかかわらずミキサ３０８の出力レベルを常に一定値以下に抑えるＡＧＣ動作を行う。
【００５０】
以上のように、この実施の形態３のデジタルテレビチューナによれば、可変ローパスフィルタ３１２はＶＨＦまたはＵＨＦのいずれかの状態を特定してカットオフ周波数が設定されることにより、ＩＦ検波方式ＡＧＣデジタルテレビチューナを構成することができる。
【００５１】
以下、具体的に説明する。ＶＨＦまたはＵＨＦで可変ローパスフィルタ３１２の特性の設定を変更する。周波数の低いＶＨＦを受信する場合、妨害波周波数も低く希望信号の近くに存在するので可変ローパスフィルタ３１２の帯域を広く持つ必要はない。またミキサ３０８で発生するイメージ信号（周波数はＲＦ周波数と局部発振周波数の和）を可変ローパスフィルタ３１２で抑圧したいため、可変ローパスフィルタ３１２の帯域はイメージ周波数が十分に減衰するように低く設定する。次に周波数が高く広い帯域をもつＵＨＦを受信する場合、妨害波のレベル検出をするために可変ローパスフィルタ３１２のカットオフ周波数を高く設定する。但しミキサ３０８で発生するイメージ周波数を抑圧する必要はあるがイメージ周波数自体がＶＨＦと比較して高くなるため、可変ローパスフィルタ３１２のカットオフ周波数を高くする設定とする。これにより、ＩＦ検波方式でのＡＧＣ機能が可能となる。例えばＵＨＦの場合、帯域幅は約３００ＭＨｚあるため、帯域の端の１３ｃｈ受信時には６２ｃｈの妨害信号があれば約３００ＭＨｚの信号となるためカットオフ周波数は３００ＭＨｚ以上とし、ＶＨＦ帯受信時には帯域幅が４ｃｈ〜１２ｃｈでは約５０ＭＨｚのため最高５０ＭＨｚの妨害信号がくることになりカットオフ周波数は５０ＭＨｚ以上であればよい。
【００５２】
なお、可変ローパスフィルタは、実施の形態１と同様の構成であったが、実施の形態２と同様の構成であってもよい。
【産業上の利用可能性】
【００５３】
以上のように、本発明にかかるデジタルテレビチューナは、ＩＦ検波方式ＡＧＣ回路のアナログ妨害波を検波できない問題について、デジタルテレビのチャンネルに応じて妨害波となるアナログテレビのチャンネルを規定して、その妨害アナログテレビ信号は検波器にてレベル検波できるようにし、かつミキサで出力される信号で検波器で検出したくない不要信号は抑圧するよう第２のローパスフィルタを設定することにより、妨害波のレベル検出を可能にする効果を有している。またＲＦ検波方式ＡＧＣ回路の課題、ＲＦ増幅器の追加による消費電力の増大をすることなくデジタルテレビチューナのＡＧＣ回路を構成するものであり、低消費電力で高性能のデジタルテレビ受信を必要とする、携帯受信に最適なデジタルテレビチューナ等として有用である。
【図面の簡単な説明】
【００５４】
【図１】本発明の実施の形態１におけるデジタルテレビチューナの構成を示すブロック図である。
【図２】本発明の実施の形態２におけるデジタルテレビチューナの構成を示すブロック図である。
【図３】本発明の実施の形態３におけるデジタルテレビチューナの構成を示すブロック図である。
【図４】従来のＩＦ検波方式ＡＧＣ回路によるテレビチューナの構成を示すブロック図である。
【図５】従来のＲＦ検波方式ＡＧＣ回路によるテレビチューナの構成を示すブロック図である。
【図６】本発明で使用する可変ローパスフィルタの構成および動作を説明するための図である。
【図７】本発明で使用する可変ローパスフィルタのカットオフ周波数を制御するための電流源を示す図である。
【符号の説明】
【００５５】
１０１、２０１、４０１、５０１  ＲＦ入力端子
３０１  ＵＨＦ入力端子
３０２  ＶＨＦ入力端子
１０２、２０２、３０３、３０４、４０２、５０２  バンドパスフィルタ
１０３、２０３、３０５、３０６、４０３、５０３  可変利得増幅器（ＧＣＡ）
３０７  ＵＨＦまたはＶＨＦの切換えスイッチ
１０４、２０４、３０８、４０４、５０４  ミキサ
１０５、２０５、３０９、４０５、５０５  ローカル発振器
１０６、２０６、３１０、４０６、５０６  ローパスフィルタ
１０８、２０８、３１２  可変ローパスフィルタ
１０９、２０９  可変ローパスフィルタ制御端子
１１０、２１０、３１４、４０８、５０９  検波器
５０８  ＲＦ増幅器
１１１、２１１、３１５、４０９、５１０  ＡＧＣ制御回路
３１３  ＶＨＦまたはＵＨＦの切換え制御端子
６０１  入力端子
６０２  電源端子
６０３、７０３  接地端子
６０４  出力端子
７０１  基準電流入力端子
７０２  電流出力端子
７０４、７０５  電流制御端子
Ｑ１、Ｑ２，Ｑ３、Ｑ４、Ｑ５：ＮＰＮトランジスタ
Ｒ２，Ｒ３，Ｒ４、Ｒ５：抵抗
Ｃ１  容量
ＩＸ  電流源
【図１】
2007281939.tif 000003
【図２】
2007281939.tif 000004
【図３】
2007281939.tif 000005
【図４】
2007281939.tif 000006
【図５】
2007281939.tif 000007
【図６】
2007281939.tif 000008
【図７】
2007281939.tif 000009